(57)【要約】      （修正有）【課題】光源から液晶表示素子に入射される光量変化を光量認知手段にて認知し、その光量に応じて適切な電気光学特性となるよう、ガンマ値を精度良く補償し、高品質な液晶表示装置を提供する。【解決手段】光源と、前記光源からの光を変調し、画像を生成する液晶表示素子と、前記液晶表示素子に印加する信号を制御する制御部７０と、ガンマ値等を記憶する記憶部６０と、前記液晶表示素子に照射される前記光源からの光量の変化を認知する光量認知手段８０を有し、前記光量検出手段の結果に基づいて前記記憶部にて前記ガンマ値を補正するガンマ値補正手段を有する。【選択図】図１
2014041229.tif 000002
【特許請求の範囲】
【請求項１】
画像を表示する液晶表示装置であって、
光源と、前記光源からの光を変調し、画像を生成する液晶表示素子と、前記液晶表示素子に印加する信号を制御する制御部と、ガンマ値を記憶する記憶部と、前記液晶表示素子に照射される前記光源からの光量の変化を認知する光量認知手段を有し、前記光量検出手段の結果に基づいて前記記憶部にて前記ガンマ値を補正するガンマ値補正手段を有することを特徴とする液晶表示装置。
【請求項２】
前記光量認知手段として、前記光源の出力を変化させたことを認知する手段を有することを特徴とする請求項１に記載の液晶表示装置。
【請求項３】
前記光量認知手段として、前記液晶表示素子に照射される前記光源からの光量を検出する光センサの出力に基づいて光量変化を認知することを特徴とする請求項１に記載の液晶表示装置。
【請求項４】
前記光量認知手段として、前記光源と前記液晶表示素子の光路間に前記光路の一部を遮蔽することで、前記光源からの光量を変化させたことを認知する手段を有することを特徴とする請求項１に記載の液晶表示装置。
【請求項５】
前記光源として、少なくとも２つ以上の光源を有することを特徴とする、請求項１乃至請求項４の何れか１項に記載の液晶表示装置。
【請求項６】
前記光量認知手段として、前記光源を少なくとも１つ以上消灯したことを検出する手段を有することを特徴とする請求項５に記載の液晶表示装置。
【請求項７】
前記光量認知手段の出力値を、前記液晶表示装置１の構成色すべてについて、同一として、前記ガンマ値光量補正関数メモリに送信することを特徴とする請求項１乃至請求項６の何れか１項に記載の液晶表示装置。
【請求項８】
前記光源からの光量の変化量として、少なくとも２倍以上の変化があることを特徴とする請求項１乃至請求項７の何れか１項に記載の液晶表示装置。
【請求項９】
前記液晶表示装置が、投射型液晶表示装置であることを特徴とする、請求項１乃至請求項８の何れか１項に記載の液晶表示装置。
【発明の詳細な説明】
【技術分野】
【０００１】
本発明は、液晶表示装置に関してであり、特に液晶プロジェクタに関する。
【背景技術】
【０００２】
従来、投射型表示装置の画像変調手段として液晶表示素子を用いた液晶プロジェクタがある。液晶プロジェクタに用いる液晶表示素子としては、例えば共通電極を有する第１の透明基板と、画素を形成する透明電極及び配線，スイッチング素子等を有する第２の透明基板との間に誘電異方性が正のネマチック液晶を封入する。そして、液晶分子長軸を２枚のガラス基板間で連続的に９０°ねじった、いわゆるＴＮ（Ｔｗｉｓｔｅｄ  Ｎｅｍａｔｉｃ）液晶表示素子が用いられている。また、このような透過型の液晶表示素子の他に、共通電極を有する透明基板と、一方の基板に反射電極と配線、スイッチング素子等有する回路基板との間に誘電異方性が負のネマチック液晶を封入する。そして、液晶分子長軸を２枚の基板間に対してほぼ垂直にホメオトロピック配向させた、いわゆるＶＡＮ（Ｖｅｒｔｉｃａｌ  Ａｌｉｇｎｍｅｎｔ  Ｎｅｍａｔｉｃ）液晶型の反射型液晶表示素子を用いるものもある。
【０００３】
液晶表示素子としては、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）効果を利用し、液晶層を通過する光波動に対してリタデーションを与えて、光波動の偏光状態を変化させる作用（変調）を制御して画像を形成する方法が主に用いられる。
【０００４】
一般的な液晶表示素子の設計は、入射光をポラライザ等の偏光制御手段を介して波動の偏波を所定方向の直線偏光状態にした光波動を入射させ、この所定方向に振動する直線偏光状態の光が通過するときに、偏光変調を行う。例えばノーマリーホワイトを基準とする液晶表示素子は、液晶層へ電圧無印加状態で、入射光波長（ある光波長帯域の重心波長）において半波長だけのリタデーションを与えるよう設計されている。また、ノーマリーブラックを基準とする液晶表示素子は、液晶層へ電圧無印加状態で、入射光波長において与えるリタデーションを極小とし、液晶層へ所定電圧を印加した状態にて半波長だけのリタデーションを与えるよう設計されている。半波長のリタデーションを与えられた光は、入射する前の直線偏光の振動方向と直角の方向に振動方向が変換されて出射することとなる。その後、入射側に配された偏光制御手段とクロスニコル配置をとるポラライザ等の偏光制御手段を出射側に配することで偏光状態を選択し、選択された光は透過することとなるよう構成されている。この設計に対して、ＥＣＢ効果を用いて、液晶層に印加する電圧を制御すると、液晶分子はチルト動作を起こし、液晶層厚方向の複屈折量が減少または増加する。そのため、液晶層を通過した光波動は、液晶層印加電圧に応じて楕円偏光状態となり、光出射側に配された偏光制御手段によって、振動方向が直交変換されなかった光成分が遮断されて、入射光の強度を変調するように構成されている。
【０００５】
上記のような液晶表示装置において、光源からの光が液晶表示素子に照射され、液晶表示素子の温度が変化することにより、液晶表示素子の電気光学特性が変化することが知られている。この液晶表示素子の電気光学特性の変化により、液晶表示装置が表示している画像の明るさや色などが変化することで画質の劣化が発生してしまう。より高品位の画像を提供する液晶表示装置においては、これらの温度変化に対して常に温度補償を行うことが必要とされてくる。
【０００６】
そこで、液晶表示素子の温度を検出して、液晶表示素子の温度が変化することによって発生した電気光学特性の変化を、液晶表示素子に印加する信号電圧の振幅を変化させ、補償する方法が知られている（特許文献１参照）。
【０００７】
また、外部環境の明るさに応じて、液晶表示装置が表示している画像の明るさや色などが変化することで画質の劣化が発生してしまうことを補償するために、液晶表示素子の画素スイッチング素子を配設した基板上に、光検出素子を配設し、その出力に応じて、液晶表示装置の光源の輝度を変化させる手段が知られている（特許文献２参照）。
【先行技術文献】
【特許文献】
【０００８】
【特許文献１】特許第２５８９５６７号明細書
【特許文献２】特開２００６−３０３９２号公報
【発明の概要】
【発明が解決しようとする課題】
【０００９】
しかしながら、光源からの光量が強い投射型液晶表示装置において、液晶表示素子の温度が等しい状態でも、液晶表示素子に入射される光量が変化することで、液晶表示素子の電気光学特性が変化することを見出した。光量の変化に対する液晶表示素子の電気光学特性の変化を図４に示す。これは、液晶表示素子に入射される光量のエネルギーにより、液晶分子の配向状態が変化してしまうため、それに伴い電気光学特性が変化していることを示している。
【００１０】
液晶表示素子の電気光学特性が変化することにより、液晶表示装置が表示している画像の明るさや色などが変化することで画質の劣化が発生してしまう。
【００１１】
そこで、本発明の目的は、液晶表示素子に照射される光源からの光量が変化したことを認知し、電気光学特性の変化を補償することを可能とした、液晶表示装置を提供することである。
【課題を解決するための手段】
【００１２】
上記目的を達成するために、本発明の液晶表示装置は、
画像を表示する液晶表示装置であって、光源と、前記光源からの光を変調し、画像を生成する液晶表示素子と、前記液晶表示素子に印加する信号を制御する制御部と、ガンマ値等を記憶する記憶部と、前記液晶表示素子に照射される前記光源からの光量の変化を認知する光量認知手段を有し、前記光量検出手段の結果に基づいて前記記憶部にて前記ガンマ値を補正するガンマ値補正手段を有することを特徴とする。
【発明の効果】
【００１３】
本発明によると、液晶表示装置において、液晶表示素子に照射される光源からの光量の変化を認知し、光量変化に伴う電気光学特性の変化を精度良く補償することができる。
【図面の簡単な説明】
【００１４】
【図１】本発明の第１実施例による液晶表示装置の液晶表示素子の駆動制御部の構成図である。
【図２】本発明の液晶表示装置の構成図である。
【図３】本発明による光量変化によるガンマ値補正手順を示すフローチャートである。
【図４】光源からの光量が変化したことによる、液晶表示素子の電気光学特性の変化を示す図である。
【図５】本発明の第実施例による、光センサの配置場所を示す図である。
【図６】本発明の液晶表示素子のガンマ値テーブルを示す図である。
【発明を実施するための形態】
【００１５】
以下、添付図面を参照して、本発明の一実施例である液晶表示装置１を説明する。
【実施例１】
【００１６】
ここで、図２は、液晶表示装置１を示す構成図である。
【００１７】
液晶表示装置１は、画像をスクリーン２００に表示する機能を有する。液晶表示装置１は、本実施例では、反射型液晶表示素子（反射型液晶表示素子等の画像形成素子）を搭載した投射型液晶表示装置である。液晶表示装置１は、筐体１ａと、ランプ１０と、照明光学系２０と、色分解合成光学系３０と、投射レンズ光学系４０と、液晶表示素子５０と、記憶部６０と、制御部７０を有する。
【００１８】
筐体１ａは、液晶表示装置１を構成する部材を固定し収納する。筐体１ａは、本実施例では、矩形状の立方体である。また、筐体１ａは、投射レンズ光学系４０の一部が、外部に露出している。そして、筐体１ａは、例えば、液晶表示装置１の傾きを調整する調整機構を有している。尚、投射レンズ光学系４０の一部は、本実施例では、外部に露出しているが、筐体１ａ内に収納されていてもよい。
【００１９】
ランプ１０は、光を生成する機能を有する。ランプ１０は、発光管１１と、リフレクタ１２とを有する。この場合、γは、液晶表示装置１の光軸である。
【００２０】
発光管１１は、連続スペクトルで、白色光を発光する機能を有する。発光管１１は、図示しない電源供給部によって電源を供給している。
【００２１】
リフレクタ１２は、発光管１１からの光を所定の方向に集光する機能を有する。そのため、リフレクタ１２は、反射率の高いミラー等によって構成されており、半球形状を有する。
【００２２】
照明光学系２０は、ランプ１０からの光を色分解合成光学系３０に伝達する機能を有する。照明光学系２０は、シリンダアレイ２１及び２２と、紫外線吸収フィルタ２３と、偏光変換素子２４と、フロントコンプレッサ２５と、全反射ミラー２６と、コンデンサーレンズ２７と、リアコンプレッサ２８とを有する。
【００２３】
シリンダアレイ２１及び２２は、カメラ、検出器、走査装置内等に組み込まれている感光素子の複合体である。シリンダアレイ２１は、光軸γに対して垂直方向に屈折力を有するレンズアレイである。シリンダアレイ２２は、シリンダアレイ２１の個々のレンズに対応したレンズアレイを有する。本実施例では、シリンダアレイ２１は、ランプ１０の前方に配置され、シリンダアレイ２２は、後述する紫外線吸収フィルタ２３の前方に配置される。
【００２４】
紫外線吸収フィルタ２３は、紫外線を吸収する機能を有する。紫外線吸収フィルタ２３は、シリンダアレイ２１とシリンダアレイ２２との間に配置される。
【００２５】
偏光変換素子２４は、無偏光光を所定の偏光光に変換する機能を有する。偏光変換素子２４は、シリンダアレイ２２の前方に配置される。
【００２６】
フロントコンプレッサ２５は、水平方向において屈折力を有するシリンドリカルレンズで構成されている。フロントコンプレッサ２５は、偏光変換素子２４の前方に配置される。
【００２７】
全反射ミラー２６は、ランプ１０からの光を反射する機能を有する。全反射ミラー２６は、本実施例では、光軸を９０度変換する。全反射ミラー２６は、フロントコンプレッサ２５の前方に配置される。
【００２８】
コンデンサーレンズ２７は、ランプ１０からの光を集め、投影レンズの瞳内に光源の像を結ばせることによって、物体を均等に照明する。コンデンサーレンズ２７は、全反射ミラー２６の前方に配置される。
【００２９】
リアコンプレッサ２８は、水平方向において屈折力を有するシリンドリカルレンズで構成されている。リアコンプレッサ２８は、コンデンサーレンズ２７の前方に配置されている。
【００３０】
色分解合成光学系３０は、ランプ１０からの光を分解及び合成する機能を有する。色分解合成光学系３０は、ダイクロイックミラー３１と、偏光板３２と、偏光ビームスプリッター３３と、１／４波長板３５と、色選択性位相差板３６とを有する。
【００３１】
ダイクロイックミラー３１は、青（Ｂ）と赤（Ｒ）の波長領域の光を反射し、緑（Ｇ）の波長領域の光を透過する。ダイクロイックミラー３１は、リアコンプレッサ２８の前面に配置される。
【００３２】
偏光板３２は、Ｓ偏光光のみを透過させる機能を有する。偏光板３２は、偏光板３２ａ、３２ｂ及び３２ｃとを有する。偏光板３２ａは、透明基板に偏光素子を貼り合わせた緑用の入射側偏光板であり、Ｓ偏光光のみ透過する。偏光板３２ａは、ダイクロイックミラー３１の前方に配置されている。偏光板３２ｂは、透明基板に偏光素子を貼り合わせた赤青用の入射側偏光板であり、Ｓ偏光光のみ透過する。偏光板３２ｂは、ダイクロイックミラー３１の前方に配置されている。偏光板３２ｃは、透明基板に偏光素子を貼り合わせた赤青用の出射側偏光板（偏光素子）であり、Ｓ偏光のみを透過する。
【００３３】
偏光ビームスプリッター３３は、Ｐ偏光光を透過し、Ｓ偏光光を反射する。偏光ビームスプリッター３３は、偏光分離面を有する。偏光ビームスプリッター３３は、偏光ビームスプリッター３３ａ、３３ｂ及び３３ｃを有する。偏光ビームスプリッター３３ａは、Ｐ偏光光を透過し、Ｓ偏光光を反射する。偏光ビームスプリッター３３ａは、偏光板３２ａの前面に配置される。偏光ビームスプリッター３３ｂは、Ｐ偏光光を透過し、Ｓ偏光光を反射する。偏光ビームスプリッター３３ｂは、色選択性位相差板３６ａの前面に配置される。偏光ビームスプリッター３３ｃは、Ｐ偏光光を透過し、Ｓ偏光光を反射する。偏光ビームスプリッター３３ｃは、偏光ビームスプリッター３３ａの前面に配置される。
【００３４】
１／４波長板３５は、位相差を与える機能を有する。１／４波長板３５は、１／４波長板３５Ｒ、３５Ｇ及び３５Ｂとを有する。１／４波長板３５Ｒは、偏光ビームスプリッター３３ｂと後述する液晶表示素子５０Ｒとの間に配置される。１／４波長板３５Ｇは、偏光ビームスプリッター３３ａと後述する液晶表示素子５０Ｇとの間に配置される。１／４波長板３５Ｂは、偏光ビームスプリッター３３ｂと後述する液晶表示素子５０Ｂとの間に配置される。
【００３５】
色選択性位相差板３６は、特定の光の偏光方向を９０度変換する機能を有する。色選択性位相差板３６ａは、青色の光の偏光方向を９０度変換し、赤色の光の偏光方向は変換しない。色選択性位相差板３６ａは、偏光板３２ｂと偏光ビームスプリッター３３ｂとの間に配置される。色選択性位相差板３６ｂは、赤色の光の偏光方向を９０度変換し、青色の光の偏光方向は変換しない。色選択性位相差板３６ｂは、偏光板３２ｃと偏光ビームスプリッター３３ｂとの間に配置される。
【００３６】
投射レンズ光学系（投射手段）４０は、照明光学系２０及び色分解合成光学系３０を介したランプ１０からの光を照射する。投射レンズ光学系４０は、鏡筒４０ａに図示しない複数の光学素子で構成されている。
【００３７】
本実施例として、液晶表示装置１は、液晶表示素子５０と液晶表示素子５０に印加する信号を制御する制御部７０と、ガンマ値等を記憶する記憶部６０と、液晶表示素子５０に照射される光源１０からの光量の変化を認知する光量認知手段８０と、ガンマ値を光量に応じて補正を行うための演算を行う、ガンマ値光量補正演算回路７４を所有している。
【００３８】
また、制御部７０は外部の入力機器３００などから入力された入力信号を、画像生成部７１に所有している液晶表示素子５０に入射されている光量に応じたガンマ値テーブル７２を用いて演算し、演算後の出力をＤＡコンバーター７３でアナログ電圧に変換し、液晶表示素子５０に印加する。
【００３９】
また、記憶部６０は光量認知手段８０の認知結果に応じてガンマ値テーブルを補正する値を所有するガンマ値光量補正関数メモリ６１、さらには、明るさや画質を変化させる表示モードに応じたガンマ値テーブルを所有するガンマ値テーブルメモリ６２を所有している。
【００４０】
また、ガンマ値テーブルメモリ６２とガンマ値光量補正関数メモリ６１の出力とを演算するガンマ値光量補正演算回路７４を所有している。
【００４１】
本構成による液晶表示装置１による、光量補償の手段を説明する。
【００４２】
液晶表示装置１を使用している際に、液晶表示素子５０に入射されている光源１０からの光量が変化すると、光量認知手段８０が現在の液晶表示素子５０に入射されている光量を認知し、その結果を出力する。
【００４３】
光量認知手段８０の光量認知手段として、液晶表示装置１の光源１０の使用数、出力の変化、経時による光量の変化、また図示していない光学フィルターや絞りを光源１０から液晶表示素子５０の間に挿入することによる光量の変化などを認知する手段を持たせる。
【００４４】
本実施例では、液晶表示装置１の光源１０の出力を変化させた場合の動作について、図３に記載のフローチャートに基づいて説明する。
【００４５】
光量認知手段８０が、ユーザーが液晶表示装置１の明るさを暗くさせるモードに設定したことを認知し、光量ガンマ調整を開始する（Ｓｔｅｐ１）。
【００４６】
光量認知手段８０より、認知した光量をガンマ値光量補正関数メモリ６１に送信する。例えば、ユーザーが光源１０の明るさを２０％下げた場合には、光量値として０．８をガンマ値光量補正関数メモリ６１に送信する（Ｓｔｅｐ２）。
【００４７】
次に、ガンマ値光量補正関数メモリ６１より、光量認知手段８０より送信された光量値に応じたガンマ値の補正量を算出する（Ｓｔｅｐ３）。このガンマ値の補正量の算出方法としては、光量に応じた補正量を関数で近似した式より求めることで、メモリ数を増やすことなく光量変化に対して精度良く補正することができる。
【００４８】
そして、算出した光量に応じたガンマ値の補正量と、現在選択されているガンマ値テーブルメモリ６２に記憶されているガンマ値とをガンマ値光量補正演算回路７４にて足し合わせる（Ｓｔｅｐ４）。この足し合わせたガンマ値が、液晶表示装置１の現在の光源１０の光量に適したガンマ値となる。
【００４９】
この得られたガンマ値をバッファメモリ６３に順次送信する（Ｓｔｅｐ５）。
【００５０】
そして、バッファメモリ６３に蓄えられたガンマ値を、画像生成部７１内の光量に応じたガンマ値テーブルメモリ７２に順次送信する（Ｓｔｅｐ６）。
【００５１】
ガンマ値のガンマ値テーブルメモリ７２への送信を液晶表示装置１の全構成色、全階調に渡って完了するまでＳｔｅｐ３〜Ｓｔｅｐ６を繰り返す（Ｓｔｅｐ７）。本実施例として、液晶表示装置１はＲＧＢの３色から構成されており、階調範囲を１２ビットで分割し、処理を行っている。
【００５２】
具体的には、バッファメモリ６３に保管しているガンマ値光量補正テーブルの値の中で、まず赤色用の液晶表示素子５０Ｒの図６に示している領域１の階調のガンマ値光量補正テーブルの値を画像生成部７１に所有している光量に応じたガンマ値テーブルメモリ７２の値と書き換えていく。次に、緑色用の液晶表示素子５０Ｇの、先ほど赤色用の液晶表示素子５０Ｒのガンマ値光量補正テーブルを書き換えた階調範囲と同一の、領域１の範囲のガンマ値光量補正テーブルの値を画像生成部７１に所有している光量に応じたガンマ値テーブルメモリ７２の値と書き換えていく。次に、青色用の液晶表示素子５０Ｂの、先ほど赤色用の液晶表示素子５０Ｒのガンマ値光量補正テーブルを書き換えた階調範囲と同一の、領域１の範囲のガンマ値光量補正テーブルの値を画像生成部７１に所有している光量に応じたガンマ値テーブルメモリ７２の値と書き換えていく。
【００５３】
カラー画像を構成している全構成色のある階調範囲でのガンマ値光量補正テーブルの値の書き換えが終了したら、次の階調範囲でのガンマ値光量補正テーブルの書き換えを実行する。
【００５４】
すなわち、バッファメモリ６３に保管しているガンマ値光量補正テーブルの値の中で、まず赤色用の液晶表示素子５０Ｒの先ほどとは異なる領域２の階調範囲のガンマ値光量補正テーブルの値を画像生成部７１に所有している光量に応じたガンマ値テーブルメモリ７２の値と書き換えていく。次に、緑色用の液晶表示素子５０Ｇの、赤色用の液晶表示素子５０Ｒのガンマ値光量補正テーブルを書き換えた階調範囲と同一の、領域２の範囲のガンマ値光量補正テーブルの値を画像生成部７１に所有している光量に応じたガンマ値テーブルメモリ７２の値と書き換えていく。次に、青色用の液晶表示素子５０Ｂの、赤色用の液晶表示素子５０Ｒのガンマ値光量補正テーブルを書き換えた階調範囲と同一の、領域２の階調範囲のガンマ値光量補正テーブルの値を画像生成部７１に所有している光量に応じたガンマ値テーブルメモリ７２の値と書き換えていく。
【００５５】
上記の方法で、画像生成部７１に所有している光量に応じたガンマ値テーブルメモリ７２の値を全ての階調範囲である領域８まで、画像表示時の液晶表示素子５０の光量に応じたガンマ値光量補正テーブルに段階的に書き換えを行い、液晶表示装置１の光源１０の光量変化にともなう電気光学特性の補償を行う。
【００５６】
上記のフローチャートに従えば、液晶表示装置１を使用している時に、リアルタイムで色付きによる画像劣化を視認されることなく、精度良く液晶表示装置１の光源１０の光量変化に伴う電気光学特性の補償をすることができる。
【実施例２】
【００５７】
本実施例では、液晶表示装置１の光源１０の経時変化等に対しても、精度良くガンマ値を補正する動作について、図３に記載のフローチャートに基づいて説明する。
【００５８】
図５に示すように、液晶表示素子５０の投射画面領域外に光源１０からの光量を検出する光センサ８１を配置する。液晶表示素子５０において、画像を表示する画像表示領域と、その領域よりも広い領域で、液晶表示装置１よりスクリーン２００に投射される投射画面領域と、スクリーン２００に投射されない投射画面領域外がある。この位置に配置することによって、投射画像を遮ることなく、かつ投射画面にも光センサが映し出されること無く、光源１０から液晶表示装置５０に入射されている光を常に取得することができる。そしてこの光センサ８１の出力を検出することで、光量の変化を認知する光量認知手段８０とする。
【００５９】
光量認知手段８０が、液晶表示装置１の光源１０の明るさが低下したことを光センサ８１の出力より光量認知手段８０にて認知し、光量ガンマ調整を開始する（Ｓｔｅｐ１）。
【００６０】
光量認知手段８０より、認知した光量をガンマ値光量補正関数メモリ６１に送信する。例えば、光源１０の明るさが２０％低下した場合には、光量値として０．８をガンマ値光量補正関数メモリ６１に送信する（Ｓｔｅｐ２）。
【００６１】
次に、ガンマ値光量補正関数メモリ６１より、光量認知手段８０より送信された光量値に応じたガンマ値の補正量を算出する（Ｓｔｅｐ３）。このガンマ値の補正量の算出方法としては、光量に応じた補正量を関数で近似した式より求めることで、メモリ数を増やすことなく光量変化に対して精度良く補正することができる。
【００６２】
そして、算出した光量に応じたガンマ値の補正量と、現在選択されているガンマ値テーブルメモリ６２に記憶されているガンマ値とをガンマ値光量補正演算回路７４にて足し合わせる（Ｓｔｅｐ４）。この足し合わせたガンマ値が、液晶表示装置１の現在の光量に適したガンマ値となる。
【００６３】
この得られたガンマ値をバッファメモリ６３に順次送信する（Ｓｔｅｐ５）。
【００６４】
そして、バッファメモリ６３に蓄えられたガンマ値を、画像生成部７１内の光量に応じたガンマ値テーブルメモリ７２に順次送信する（Ｓｔｅｐ６）。
【００６５】
ガンマ値のガンマ値テーブルメモリ７２への送信を液晶表示装置１の全構成色、全階調に渡って完了するまでＳｔｅｐ３〜Ｓｔｅｐ６を繰り返す（Ｓｔｅｐ７）。
【００６６】
上記のフローチャートに従えば、液晶表示装置１を使用している時に、リアルタイムで色付きによる画像劣化を視認されることなく、精度良く液晶表示装置１の光源１０の明るさ変化に伴う電気光学特性の補償をすることができる。
【実施例３】
【００６７】
本実施例では、液晶表示装置１の光源１０の点灯数を変化させ、光量を変化させた場合に対しても、精度良くガンマ値を補正する動作について、図３に記載のフローチャートに基づいて説明する。
【００６８】
図１に示した液晶表示装置１は、光源１０が１つの場合の構成図である。しかしながら、現在液晶表示装置１において光源１０を複数配置することで、明るくすることが可能となる。このような液晶表示装置１において、使用用途に応じて光源１０の点灯数を変えることで、ユーザーが求める明るさで液晶表示装置１を使用することが可能となる。
一方、光源１０の点灯数を変えることで、液晶表示素子５０に入射される光量が大きく変わるため、液晶表示素子５０の電気光学特性が変化してしまう。
【００６９】
光量認知手段８０が、液晶表示装置１の光源１０の点灯数が変化したことを光量認知手段８０のより認知し、光量ガンマ調整を開始する（Ｓｔｅｐ１）。
【００７０】
光量認知手段８０より、認知した光量をガンマ値光量補正関数メモリ６１に送信する。例えば、点灯させる光源の数が２個から１個に変化させた場合には、光量値として０．５をガンマ値光量補正関数メモリ６１に送信する（Ｓｔｅｐ２）。
【００７１】
次に、ガンマ値光量補正関数メモリ６１より、光量認知手段８０より送信された光量値に応じたガンマ値の補正量を算出する（Ｓｔｅｐ３）。このガンマ値の補正量の算出方法としては、光量に応じた補正量を関数で近似した式より求めることで、メモリ数を増やすことなく光量変化に対して精度良く補正することができる。
【００７２】
そして、算出した光量に応じたガンマ値の補正量と、現在選択されているガンマ値テーブルメモリ６２に記憶されているガンマ値とをガンマ値光量補正演算回路７４にて足し合わせる（Ｓｔｅｐ４）。この足し合わせたガンマ値が、液晶表示装置１の現在の光量に適したガンマ値となる。
【００７３】
この得られたガンマ値をバッファメモリ６３に順次送信する（Ｓｔｅｐ５）。
【００７４】
そして、バッファメモリ６３に蓄えられたガンマ値を、画像生成部７１内の光量に応じたガンマ値テーブルメモリ７２に順次送信する（Ｓｔｅｐ６）。
【００７５】
ガンマ値のガンマ値テーブルメモリ７２への送信を液晶表示装置１の全構成色、全階調に渡って完了するまでＳｔｅｐ３〜Ｓｔｅｐ６を繰り返す（Ｓｔｅｐ７）。
【００７６】
上記のフローチャートに従えば、液晶表示装置１を使用している時に、リアルタイムで色付きによる画像劣化を視認されることなく、精度良く液晶表示装置１の光源の明るさ変化に伴う電気光学特性の補償をすることができる。
【実施例４】
【００７７】
本実施例では、液晶表示装置１の光源１０と液晶表示素子５０の光路間に、絞りを配置させることで光量を変化させた場合に対しても、精度良くガンマ値を補正する動作について、図３に記載のフローチャートに基づいて説明する。
【００７８】
図２に示した液晶表示装置１において、光源１０と液晶表示素子５０の光路間に図示しない絞りを配置させる。この絞りの開口率を変化させることにより、液晶表示素子５０に入射される光の光量と入射角を変化させることができる。この絞りにより開口率を変化させることで、液晶表示装置１の明るさとコントラストを変化させることができる。このような液晶表示装置１において、使用用途に応じて絞りの開口率を変えることで、ユーザーが求める明るさとコントラストで液晶表示装置１を使用することが可能となる。
【００７９】
一方、絞りの開口率を変えることで、液晶表示素子５０に入射される光源１０の光量が大きく変わるため、液晶表示素子５０の電気光学特性が変化してしまう。
【００８０】
光量認知手段８０が、液晶表示装置１の絞りの開口率が変化したことを光量認知手段８０のより認知し、光量ガンマ調整を開始する（Ｓｔｅｐ１）。
【００８１】
光量認知手段８０より、認知した光量をガンマ値光量補正関数メモリ６１に送信する。例えば、絞りの開口率を最も開放させている状態から、液晶表示素子５０に照射される光量が半分となる状態まで絞りの開口率を変化させた場合には、光量値として０．５をガンマ値光量補正関数メモリ６１に送信する（Ｓｔｅｐ２）。
【００８２】
次に、ガンマ値光量補正関数メモリ６１より、光量認知手段８０より送信された光量値に応じたガンマ値の補正量を算出する（Ｓｔｅｐ３）。このガンマ値の補正量の算出方法としては、光量に応じた補正量を関数で近似した式より求めることで、メモリ数を増やすことなく光量変化に対して精度良く補正することができる。
【００８３】
そして、算出した光量に応じたガンマ値の補正量と、現在選択されているガンマ値テーブルメモリ６２に記憶されているガンマ値とをガンマ値光量補正演算回路７４にて足し合わせる（Ｓｔｅｐ４）。この足し合わせたガンマ値が、液晶表示装置１の現在の光量に適したガンマ値となる。
【００８４】
この得られたガンマ値をバッファメモリ６３に順次送信する（Ｓｔｅｐ５）。
【００８５】
そして、バッファメモリ６３に蓄えられたガンマ値を、画像生成部７１内の光量に応じたガンマ値テーブルメモリ７２に順次送信する（Ｓｔｅｐ６）。
【００８６】
ガンマ値のガンマ値テーブルメモリ７２への送信を液晶表示装置１の全構成色、全階調に渡って完了するまでＳｔｅｐ３〜Ｓｔｅｐ６を繰り返す（Ｓｔｅｐ７）。
【００８７】
上記のフローチャートに従えば、液晶表示装置１を使用している時に、リアルタイムで色付きによる画像劣化を視認されることなく、精度良く液晶表示装置１の光源の明るさ変化に伴う電気光学特性の補償をすることができる。
【００８８】
以上、本発明の実施の形態を説明したが、本発明はこれらの実施の形態に限定されず、その要旨の範囲内で様々な変形及び変更が可能である。
【符号の説明】
【００８９】
１     液晶表示装置
１０   ランプ
２０   照明光学系
３０   色分解合成光学系
４０   投射レンズ光学系
５０Ｇ  Ｇ用液晶表示素子
５０Ｒ  Ｒ用液晶表示素子
５０Ｂ  Ｂ用液晶表示素子
６０   記憶部
６１   ガンマ値光量補正関数メモリ
６２   ガンマ値テーブルメモリ
６３   バッファメモリ
７０   制御部
７１   画像生成部
７２   光量に応じたガンマ値テーブルメモリ
７３   ＤＡコンバータ
７４   ガンマ値光量補正演算回路
８０   光量認知手段
８１   光センサ
【図１】
2014041229.tif 000003
【図２】
2014041229.tif 000004
【図３】
2014041229.tif 000005
【図４】
2014041229.tif 000006
【図５】
2014041229.tif 000007
【図６】
2014041229.tif 000008